(57)【要約】【課題】  光通信を良好に行うためのフェルールの誤挿入防止構造を提供する。【解決手段】  フェルール１３の先端側筒部２２の外径をＤ１、その外径Ｄ１の先端側筒部２２に連成されるフランジ部２３の外径をＤ２、フェルール１４の先端側筒部２５の外径をＤ３、その外径Ｄ３の先端側筒部２５に連成されるフランジ部２６の外径をＤ４、フェルール１３が挿入されるフェルール挿入穴３２の小径部３５の内径をＤ５、その内径Ｄ５の小径部３５に連成される大径部３６の内径をＤ６、フェルール１４が挿入されるフェルール挿入穴３３の小径部３７の内径をＤ７、その内径Ｄ７の小径部３７に連成される大径部３８の内径をＤ８とすると、Ｄ１＜Ｄ３、Ｄ４＜Ｄ２、Ｄ５＜Ｄ７、及び、Ｄ８＜Ｄ６の各関係が成立するように各部を形成する。【選択図】    図３
2005258017.tif 000002
【特許請求の範囲】
【請求項１】
ＦＯＴ（Fiber Optic Transceiver ）と、光ファイバ及び該光ファイバの端末に設けられるフェルールと、該フェルールを前記ＦＯＴに向けて案内するフェルール挿入穴と、を有する光学的結合部を対で存在させた場合の、前記フェルールの前記フェルール挿入穴に対する誤挿入防止構造であって、
一方の前記フェルールの先端側筒部外径をＤ１、該外径Ｄ１の前記先端側筒部に連成されるフランジ部外径をＤ２、他方の前記フェルールの先端側筒部外径をＤ３、該外径Ｄ３の前記先端側筒部に連成されるフランジ部外径をＤ４、一方の前記フェルールが挿入される一方の前記フェルール挿入穴の小径部内径をＤ５、該内径Ｄ５の前記小径部に連成される大径部内径をＤ６、他方の前記フェルール挿入穴の小径部内径をＤ７、該内径Ｄ７の前記小径部に連成される大径部内径をＤ８とすると、Ｄ１＜Ｄ３、Ｄ４＜Ｄ２、Ｄ５＜Ｄ７、及び、Ｄ８＜Ｄ６の各関係が成立する
ことを特徴とするフェルールの誤挿入防止構造。
【請求項２】
ＦＯＴ（Fiber Optic Transceiver ）と、光ファイバ及び該光ファイバの端末に設けられるフェルールと、該フェルールを前記ＦＯＴに向けて案内するフェルール挿入穴と、を有する光学的結合部を対で存在させた場合の、前記フェルールの前記フェルール挿入穴に対する誤挿入防止構造であって、
一方の前記フェルールの先端からフランジ部前面までの長さをＬ１、他方の前記フェルールの先端からフランジ部前面までの長さをＬ２、一方の前記フェルールが挿入される一方の前記フェルール挿入穴の小径部の長さをＬ３、他方の前記フェルール挿入穴の小径部の長さをＬ４とすると、Ｌ１＞Ｌ２、及び、Ｌ３＞Ｌ４の各関係が成立し、
且つ、抜け方向の力が生じた場合に一方の前記フェルールのフランジ部後面が当接する一方の抜け阻止部と他方の前記フェルールのフランジ部後面が当接する他方の抜け阻止部とを有するスペーサを更に備えて、該スペーサの取り付けが可能な構造とする
ことを特徴とするフェルールの誤挿入防止構造。
【請求項３】
請求項１又は請求項２に記載のフェルールの誤挿入防止構造において、
前記フェルールを金属の切削加工品とする
ことを特徴とするフェルールの誤挿入防止構造。
【発明の詳細な説明】
【技術分野】
【０００１】
本発明は、光ファイバの端末に設けられたフェルールを、対応するＦＯＴ（Fiber Optic Transceiver ）に対向配置させるための、フェルールの誤挿入防止構造に関する。
【背景技術】
【０００２】
近年、ワイヤハーネスの一部を光ファイバに置き換え、例えば各ノード間を光ファイバで接続するようなシステムが採用されている。このようなシステムとしては、例えば下記特許文献１に開示される光モジュールが用いられている。図９において、引用符号１は従来例の光モジュールを示している。その光モジュール１は、ピッグテール型の光モジュールであって、プリント基板２と、プリント基板２に実装される光送受信器３と、プリント基板２の端部に設けられる一対の光コネクタ４、４と、光送受信器３及び光コネクタ４、４を光学的に結合する一対の光ファイバ５、５とを備えて構成されている。
【０００３】
光ファイバ５、５は、それぞれ余長部分６、６を有しており、例えば図示のように環状にまとめられて、光送受信器３及び光コネクタ４、４間の余長吸収エリア７に収納、配置されている。光ファイバ５、５の各端末には、特に図示しないが、フェルールが取り付けられている。
【特許文献１】特開２００３−１４９５１５号公報  （第３頁、第３−４図）
【発明の開示】
【発明が解決しようとする課題】
【０００４】
ところで、上記従来技術にあっては、組み付けの際に光送受信器３に対する光ファイバ５、５の光学的結合を間違えると、すなわち一方の光ファイバ５と他方の光ファイバ５とを光送受信器３に対して逆に結合してしまうと、光通信に支障を来すという問題点を有している。
【０００５】
本発明は、上述した事情に鑑みてなされるもので、光通信を良好に行うためのフェルールの誤挿入防止構造を提供することを課題とする。
【課題を解決するための手段】
【０００６】
上記課題を解決するためなされた請求項１記載の本発明のフェルールの誤挿入防止構造は、ＦＯＴ（Fiber Optic Transceiver ）と、光ファイバ及び該光ファイバの端末に設けられるフェルールと、該フェルールを前記ＦＯＴに向けて案内するフェルール挿入穴と、を有する光学的結合部を対で存在させた場合の、前記フェルールの前記フェルール挿入穴に対する誤挿入防止構造であって、一方の前記フェルールの先端側筒部外径をＤ１、該外径Ｄ１の前記先端側筒部に連成されるフランジ部外径をＤ２、他方の前記フェルールの先端側筒部外径をＤ３、該外径Ｄ３の前記先端側筒部に連成されるフランジ部外径をＤ４、一方の前記フェルールが挿入される一方の前記フェルール挿入穴の小径部内径をＤ５、該内径Ｄ５の前記小径部に連成される大径部内径をＤ６、他方の前記フェルール挿入穴の小径部内径をＤ７、該内径Ｄ７の前記小径部に連成される大径部内径をＤ８とすると、Ｄ１＜Ｄ３、Ｄ４＜Ｄ２、Ｄ５＜Ｄ７、及び、Ｄ８＜Ｄ６の各関係が成立することを特徴としている。
【０００７】
このような特徴を有する本発明によれば、誤挿入の場合、一方のフェルール挿入穴の小径部に対して他方のフェルールの先端側筒部が挿入不能となることから、フェルールの誤挿入発生が容易に分かる。また、他方のフェルール挿入穴の大径部に対して一方のフェルールのフランジ部が挿入不能となることから、この場合もフェルールの誤挿入発生が容易に分かる。
【０００８】
上記課題を解決するためなされた請求項２記載の本発明のフェルールの誤挿入防止構造は、ＦＯＴ（Fiber Optic Transceiver ）と、光ファイバ及び該光ファイバの端末に設けられるフェルールと、該フェルールを前記ＦＯＴに向けて案内するフェルール挿入穴と、を有する光学的結合部を対で存在させた場合の、前記フェルールの前記フェルール挿入穴に対する誤挿入防止構造であって、一方の前記フェルールの先端からフランジ部前面までの長さをＬ１、他方の前記フェルールの先端からフランジ部前面までの長さをＬ２、一方の前記フェルールが挿入される一方の前記フェルール挿入穴の小径部の長さをＬ３、他方の前記フェルール挿入穴の小径部の長さをＬ４とすると、Ｌ１＞Ｌ２、及び、Ｌ３＞Ｌ４の各関係が成立し、且つ、抜け方向の力が生じた場合に一方の前記フェルールのフランジ部後面が当接する一方の抜け阻止部と他方の前記フェルールのフランジ部後面が当接する他方の抜け阻止部とを有するスペーサを更に備えて、該スペーサの取り付けが可能な構造とすることを特徴としている。
【０００９】
このような特徴を有する本発明によれば、誤挿入の場合、一方のフェルール挿入穴に対して他方のフェルールが挿入され、他方のフェルール挿入穴に対しては一方のフェルールが挿入される。しかしながら、スペーサの取り付けは不能になることから、フェルールの誤挿入発生が容易に分かる。
【００１０】
請求項３記載の本発明のフェルールの誤挿入防止構造は、請求項１又は請求項２に記載のフェルールの誤挿入防止構造において、前記フェルールを金属の切削加工品とすることを特徴としている。このような特徴を有する本発明によれば、フェルールの寸法精度が向上する。
【発明の効果】
【００１１】
請求項１、２に記載された本発明によれば、フェルールの誤挿入をなくすことができる。従って、光通信を良好に行うことができるという効果を奏する。
【００１２】
請求項３に記載された本発明によれば、誤挿入防止構造の寸法精度を向上させるとともに、ＦＯＴとの光学的な結合も安定させることができるという効果を奏する。
【発明を実施するための最良の形態】
【００１３】
以下、図面を参照しながら説明する。
図１は本発明のフェルールの誤挿入防止構造を備えた光モジュールの一実施の形態を示す分解斜視図である。また、図２は図１の光モジュールの横断面図、図３はフェルールの誤挿入防止構造に関する説明図である。
【００１４】
図１ないし図３において、引用符号１１は本発明のフェルールの誤挿入防止構造を備えた光モジュールを示している。その光モジュール１１は、ピッグテール型の光モジュールであって、一対の光ファイバ１２、１２と、その光ファイバ１２、１２の端末に設けられるフェルール１３、１４と、図示しない既知の回路基板に実装されるＦＯＴ（Fiber Optic Transceiver ）１５、１６と、ＦＯＴ装着部１７及びフェルール挿入部１８を有するＦＯＴケース１９と、フェルール挿入部１８に嵌合するスペーサ２０と、ＦＯＴ装着部１７及びＦＯＴ１５、１６に跨って取り付けられるシールドケース２１とを備えて構成されている。以下、各構成部材について詳細に説明する。
【００１５】
上記光ファイバ１２、１２は、そのうちの一本が送信用として、もう一本が受信用として用意されている。本形態における光ファイバ１２、１２は、どちらも同じものであって、ＰＯＦ（Plastic Optical Fiber ）が採用されている。光ファイバ１２、１２は、コアと、コアの上に設けられるクラッドと、クラッドの上に設けられる一次シースと、一次シースの上に設けられる二次シースとを備えて構成されている（本形態では既知の光ファイバ素線を光ファイバ１２と呼ぶものとする）。光ファイバ１２、１２の各端末は、一次シース及び二次シースがそれぞれ適宜長さで除去された皮剥状態になっている。
【００１６】
上記フェルール１３は、上記皮剥状態にある送信用の光ファイバ１２の端末に取り付けられる筒状の部材であって、フェルール１３の先端側となる先端側筒部２２と、先端側筒部２２に連成されるフランジ部２３と、フランジ部２３に連成される後端側筒部２４とを有している。これに対し、上記フェルール１４は、上記皮剥状態にある受信用の光ファイバ１２の端末に取り付けられる筒状の部材であって、フェルール１４の先端側となる先端側筒部２５と、先端側筒部２５に連成されるフランジ部２６と、フランジ部２６に連成される後端側筒部２７とを有している。フェルール１３、１４は、後述するが、その外形形状が若干異なっている。尚、フェルール１３、１４は、共に金属の切削加工により形成されている（寸法精度の確保が十分であれば合成樹材料による成形であってもよいものとする）。
【００１７】
上記ＦＯＴ１５は、上記図示しない回路基板の回路に電気的に接続される複数のリードフレーム２８と、図示しない発光素子（例えばＬＤやＬＥＤ）と、モールド部２９とを有している。図示しない発光素子は、複数のリードフレーム２８のうちの一つにマウントされている。また、図示しない発光素子と残りのリードフレーム２８は、電気的に接続されている。モールド部２９は、図示しない発光素子と上記の電気的な接続部分とを覆ってこれらを保護することができるように形成されている。モールド部２９は、光透過性の合成樹脂を用いて成形されている。モールド部２９には、図示しない発光素子を臨む窓２９ａが形成されている。
【００１８】
上記ＦＯＴ１６は、上記図示しない回路基板の回路に電気的に接続される複数のリードフレーム３０と、図示しない受光素子（例えばＰＤ）と、モールド部３１とを有している。図示しない受光素子は、複数のリードフレーム３０のうちの一つにマウントされている。また、図示しない受光素子と残りのリードフレーム３０は、電気的に接続されている。モールド部３１は、図示しない受光素子と上記の電気的な接続部分とを覆ってこれらを保護することができるように形成されている。モールド部３１は、光透過性の合成樹脂を用いて成形されている。モールド部３１には、図示しない受光素子を臨む窓３１ａが形成されている。
【００１９】
上記ＦＯＴケース１９は、合成樹脂材料を用いて成形される成形品であって、上述の如く、フェルール挿入部１８及びＦＯＴ装着部１７を前後に連続させた状態に形成されている。フェルール挿入部１８は、並列する二つのフェルール挿入穴３２、３３と、スペーサ２０の嵌合用のスペーサ嵌合穴３４とを有している。フェルール挿入穴３２には、小径部３５とその小径部３５に連成される大径部３６とが形成されている。一方、フェルール挿入穴３３にも同様に、小径部３７とその小径部３７に連成される大径部３８とが形成されている。フェルール挿入穴３２、３３は、共にＦＯＴケース１９の前後方向に貫通する穴であって、段付き形状に形成されている。フェルール挿入穴３２の小径部３５とフェルール挿入穴３３の小径部３７は、その端部がそれぞれＦＯＴ装着部１７に開口するように形成されている。
【００２０】
ＦＯＴ装着部１７は、ＦＯＴ１５、１６の各前面側を覆うようにこれらを取り付けすることができる部分であって、ＦＯＴ１５、１６の装着位置を決める複数の位置決め突起３９と、リードフレーム２８、３０を案内するガイド４０、４０とを有している。ＦＯＴ装着部１７にＦＯＴ１５、１６が装着されると、フェルール挿入穴３２の小径部３５の開口に窓２９ａの位置が合わせられるとともに、フェルール挿入穴３３の小径部３７の開口に窓３１ａの位置が合わせられるようになっている。
【００２１】
上記スペーサ２０は、フェルール挿入穴３２、３３に差し込まれるフェルール１３、１４の抜けを阻止するための樹脂成形品であって、嵌合部４１とフェルール係止部４２、４２とを有している。嵌合部４１は、スペーサ嵌合穴３４に差し込まれる際に嵌合する部分として形成されている。また、フェルール係止部４２、４２は、フェルール１３、１４のフランジ部２３、２６を係止する部分として形成されている。
【００２２】
上記シールドケース２１は、略箱状の部材であって、導電性を有する金属薄板をプレス加工することにより形成されている。このようなシールドケース２１は、ＦＯＴ１５、１６をガタツキのない状態にすることができるように形成されている。すなわち、シールドケース２１には、ＦＯＴ１５、１６をＦＯＴ装着部１７に向けて押し付ける板バネ状の押圧部４３、４３が形成されている。尚、シールドケース２１には、固定用脚部４４が複数設けられている。固定用脚部４４は、上記図示しない回路基板の固定穴に差し込まれてアースがなされるとともに、ＦＯＴ１５、１６の固定に寄与するようになっている。
【００２３】
上記構成において、ＦＯＴ１５、１６をＦＯＴケース１９のＦＯＴ装着部１７に装着するとともに、シールドケース２１をＦＯＴ装着部１７及びＦＯＴ１５、１６に跨って取り付け、さらには、ＦＯＴ１５、１６のリードフレーム２８、３０とシールドケース２１の固定用脚部４４とを上記図示しない回路基板に取り付けると、光ファイバ１２、１２の端末のフェルール１３、１４の差し込みが可能な状態、すなわち光学的な結合が可能な状態となる。
【００２４】
ここで、ＦＯＴ１５と、ＦＯＴ１５に対応するフェルール挿入穴３２と、フェルール挿入穴３２に挿入されるフェルール１３と、光ファイバ１２は、送信側の光学的結合部４５を構成し、ＦＯＴ１６と、ＦＯＴ１６に対応するフェルール挿入穴３３と、フェルール挿入穴３３に挿入されるフェルール１４と、光ファイバ１２は、受信側の光学的結合部４６を構成する。光学的結合部４５、４６は、本発明のフェルールの誤挿入防止構造の要部であり、以下、その構造について説明する。
【００２５】
フェルール１３の先端側筒部２２の外径をＤ１、その外径Ｄ１の先端側筒部２２に連成されるフランジ部２３の外径をＤ２、フェルール１４の先端側筒部２５の外径をＤ３、その外径Ｄ３の先端側筒部２５に連成されるフランジ部２６の外径をＤ４、フェルール１３が挿入されるフェルール挿入穴３２の小径部３５の内径をＤ５、その内径Ｄ５の小径部３５に連成される大径部３６の内径をＤ６、フェルール１４が挿入されるフェルール挿入穴３３の小径部３７の内径をＤ７、その内径Ｄ７の小径部３７に連成される大径部３８の内径をＤ８とすると、Ｄ１＜Ｄ３、Ｄ４＜Ｄ２、Ｄ５＜Ｄ７、及び、Ｄ８＜Ｄ６の各関係が成立するように各部が形成されている。
【００２６】
このような関係を有する本発明のフェルールの誤挿入防止構造によれば、フェルール誤挿入の場合、フェルール挿入穴３２の小径部３５に対してフェルール１４の先端側筒部２５が挿入不能となることから、フェルール１４の誤挿入発生が容易に分かるようになる。また、フェルール挿入穴３３の大径部３８に対してフェルール１３のフランジ部２３が挿入不能となることから、この場合もフェルール１３の誤挿入発生が容易に分かるようになる。
【００２７】
誤挿入なく光学的結合部４５、４６を構成し、スペーサ２０をスペーサ嵌合穴３４に差し込んで嵌合させ、フェルール１３、１４の抜けを阻止すると、一連の作業が完了する。
【００２８】
以上、図１ないし図３を参照しながら説明してきたように、光モジュール１１は、上記関係を有するフェルールの誤挿入防止構造を備えていることから、フェルール１３、１４の誤挿入を確実になくすことができるという効果を奏する。従って、このことから、光通信を良好に行うことができるという効果を奏する。
【００２９】
次に、図４及び図５を参照しながら上述の形態の光モジュール１１の他の例を説明する。図４は他の例を示す分解斜視図、図５は図４の光モジュールの横断面図である。
【００３０】
図４及び図５において、光モジュール１１′は、上述の形態に対してレンズスリーブ４８、４８を更に備えた点と、そのレンズスリーブ４８、４８に対するスリーブ装着部４９をＦＯＴケース１９′のフェルール挿入部１８及びＦＯＴ装着部１７の間に配置した点とが異なっている（上述の形態と同じ部材及び部分は同一の符号を付す）。ＦＯＴケース１９′には、フェルール挿入穴３２、３３に連続するようにスリーブ装着穴４９ａ、４９ａが形成されている。
【００３１】
送信側の光学的結合部４５′を構成するレンズスリーブ４８は、図示しない発光素子からの光を光ファイバ１２の端面に向けて集光する機能を有している。また、受信側の光学的結合部４６′を構成するレンズスリーブ４８は、光ファイバ１２の端面からの光を図示しない受光素子に向けて集光する機能を有している。
【００３２】
続いて、図６ないし図８を参照しながら本発明によるフェルールの誤挿入防止構造を備えた光モジュールの他の一実施の形態を説明する。図６は他の一実施の形態を示す分解斜視図、図７は図６の光モジュールの横断面図、図８はフェルールの誤挿入防止構造に関する説明図である。尚、上述の形態と基本的に同じ部材及び部分には同一の符号を付して詳細な説明は省略する。
【００３３】
図６ないし図８において、引用符号５１は本発明のフェルールの誤挿入防止構造を備えた光モジュールを示している。その光モジュール５１は、上述の形態と同様に、ピッグテール型の光モジュールであって、一対の光ファイバ１２、１２と、その光ファイバ１２、１２の端末に設けられるフェルール５２、５３と、ＦＯＴ１５、１６と、レンズスリーブ４８、４８と、フェルール挿入部５４、スリーブ装着部４９、及びＦＯＴ装着部１７を有するＦＯＴケース５５と、フェルール挿入部５４に嵌合するスペーサ５６と、ＦＯＴ装着部１７及びＦＯＴ１５、１６に跨って取り付けられるシールドケース２１とを備えて構成されている。
【００３４】
上記フェルール５２は、送信用の光ファイバ１２の端末に取り付けられる筒状の部材であって、フェルール５２の先端側となる先端側筒部５７と、先端側筒部５７に連成されるフランジ部５８と、フランジ部５８に連成される後端側筒部５９とを有している。これに対し、上記フェルール５３は、受信用の光ファイバ１２の端末に取り付けられる筒状の部材であって、フェルール５３の先端側となる先端側筒部６０と、先端側筒部６０に連成されるフランジ部６１と、フランジ部６１に連成される後端側筒部６２とを有している。フェルール５２、５３は、各部の径が同じものの、フランジ部５８、６１の配置が若干異なっている（後述する）。尚、フェルール５２、５３は、共に金属の切削加工により形成されている（寸法精度の確保が十分であれば合成樹材料による成形であってもよいものとする）。
【００３５】
上記ＦＯＴケース５５は、合成樹脂材料を用いて成形される成形品であって、上述の如く、フェルール挿入部５４、スリーブ装着部４９、及びＦＯＴ装着部１７を前後に連続させた状態に形成されている。フェルール挿入部５４は、並列する二つのフェルール挿入穴６３、６４と、スペーサ５６の嵌合用のスペーサ嵌合穴６５とを有している。フェルール挿入穴６３には、スリーブ装着穴４９ａに連成される小径部６６と、その小径部６６に連成される大径部６７とが形成されている。一方、フェルール挿入穴６４にも同様に、スリーブ装着穴４９ａに連成される小径部６８と、その小径部６８に連成される大径部６９とが形成されている。フェルール挿入穴６３、６４は、共にＦＯＴケース５５の前後方向に貫通する穴であって、段付き形状に形成されている。
【００３６】
上記スペーサ５６は、フェルール挿入穴６３、６４に差し込まれるフェルール５２、５３の抜けを阻止するとともに、本発明のフェルールの誤挿入防止構造を構成する樹脂成形品であって、嵌合部４１とフェルール係止部４２、４２（抜け阻止部）とを有している。フェルール係止部４２、４２は、フェルール５２、５３のフランジ部５８、６１の配置に合わせて段違いに配置形成されている。
【００３７】
上記構成において、ＦＯＴ１５、１６をＦＯＴケース５５のＦＯＴ装着部１７に装着するとともに、シールドケース２１をＦＯＴ装着部１７及びＦＯＴ１５、１６に跨って取り付け、さらには、ＦＯＴ１５、１６のリードフレーム２８、３０とシールドケース２１の固定用脚部４４とを上記図示しない回路基板に取り付けると、光ファイバ１２、１２の端末のフェルール５２、５３の差し込みが可能な状態、すなわち光学的な結合が可能な状態となる。
【００３８】
ここで、ＦＯＴ１５と、ＦＯＴ１５に対応するフェルール挿入穴６３と、フェルール挿入穴６３に挿入されるフェルール５２と、光ファイバ１２は、送信側の光学的結合部７０を構成し、ＦＯＴ１６と、ＦＯＴ１６に対応するフェルール挿入穴６４と、フェルール挿入穴６４に挿入されるフェルール５３と、光ファイバ１２は、受信側の光学的結合部７１を構成する。光学的結合部７０、７１は、本発明のフェルールの誤挿入防止構造の要部であり、以下、その構造について説明する。
【００３９】
フェルール５２の先端からフランジ部５８の前面までの長さをＬ１、フェルール５３の先端からフランジ部６１の前面までの長さをＬ２、フェルール５２が挿入されるフェルール挿入穴６３の小径部６６の長さをＬ３、フェルール５３が挿入されるフェルール挿入穴６４の小径部６８の長さをＬ４とすると、Ｌ１＞Ｌ２、及び、Ｌ３＞Ｌ４の各関係が成立するように各部が形成されている。
【００４０】
このような関係を有する本発明のフェルールの誤挿入防止構造によれば、フェルール誤挿入の場合、フェルール挿入穴６３に対してフェルール５３が挿入され、フェルール挿入穴６４に対してはフェルール５２が挿入される。しかしながら、スペーサ５６の取り付けが不能、すなわち嵌合させることができないことから、フェルール５２、５３の誤挿入発生が容易に分かるようになる。
【００４１】
誤挿入なく光学的結合部７０、７１を構成し、スペーサ５６をスペーサ嵌合穴６５に差し込んで嵌合させ、フェルール５２、５３の抜けを阻止すると、一連の作業が完了する。
【００４２】
以上、図６ないし図８を参照しながら説明してきたように、光モジュール５１は、上記関係を有するフェルールの誤挿入防止構造を備えていることから、フェルール５２、５３の誤挿入を確実になくすことができるという効果を奏する。従って、このことから、光通信を良好に行うことができるという効果を奏する。
【００４３】
その他、本発明は本発明の主旨を変えない範囲で種々変更実施可能なことは勿論である。尚、光ファイバの端面同士を光学的に結合させる光コネクタに本発明のフェルールの誤挿入防止構造を適用してもよいのは勿論である。
【図面の簡単な説明】
【００４４】
【図１】本発明によるフェルールの誤挿入防止構造を備えた光モジュールの一実施の形態を示す分解斜視図である。
【図２】図１の光モジュールの横断面図である。
【図３】フェルールの誤挿入防止構造に関する説明図である。
【図４】図１の光モジュールの他の例を示す分解斜視図である。
【図５】図４の光モジュールの横断面図である。
【図６】本発明によるフェルールの誤挿入防止構造を備えた光モジュールの他の一実施の形態を示す分解斜視図である。
【図７】図６の光モジュールの横断面図である。
【図８】フェルールの誤挿入防止構造に関する説明図である。
【図９】従来例の光モジュールの構成図である。
【符号の説明】
【００４５】
１１  光モジュール
１２  光ファイバ
１３、１４  フェルール
１５、１６  ＦＯＴ
１７  ＦＯＴ装着部
１８  フェルール挿入部
１９  ＦＯＴケース
２０  スペーサ
２１  シールドケース
２２、２５  先端側筒部
２３、２６  フランジ部
２４、２７  後端側筒部
２８、３０  リードフレーム
２９、３１  モールド部
２９ａ、３１ａ  窓
３２、３３  フェルール挿入穴
３４  スペーサ嵌合穴
３５、３７  小径部
３６、３８  大径部
３９  位置決め突起
４０  ガイド
４１  嵌合部
４２  フェルール係止部（抜け阻止部）
４３  押圧部
４４  固定用脚部
４５、４６  光学的結合部
４８  レンズスリーブ
４９  スリーブ装着部
５１  光モジュール
５２、５３  フェルール
５４  フェルール挿入部
５５  ＦＯＴケース
５６  スペーサ
５７、６０  先端側筒部
５８、６１  フランジ部
５９、６２  後端側筒部
６３、６４  フェルール挿入穴
６５  スペーサ嵌合穴
６６、６８  小径部
６７、６９  大径部
７０、７１  光学的結合部
【図１】
2005258017.tif 000003
【図２】
2005258017.tif 000004
【図３】
2005258017.tif 000005
【図４】
2005258017.tif 000006
【図５】
2005258017.tif 000007
【図６】
2005258017.tif 000008
【図７】
2005258017.tif 000009
【図８】
2005258017.tif 000010
【図９】
2005258017.tif 000011